(57)【要約】      （修正有）【課題】シャワーヘッドを用いた水栓でも、泡沫器やシャワーヘッドが取り外せない水栓など、多種多様な形状の水栓でも簡単に取り付けることができる排水管の洗浄器具を提供する。【解決手段】洗浄ユニット３を、排水管２２の開口に挿入される洗浄用管体３２と、一方の端部に吐水口１２１、他方の端部に洗浄用管体３２をそれぞれ接続するジョイント部材３１から構成し、ジョイント部材３１の吐水口１２１が接続される側の端部を、泡沫器を取り外した吐水口１２１に接続する。【選択図】図２
2016089442.tif 000002
【特許請求の範囲】
【請求項１】
給水設備からの給水の開閉を行う、吐水管１２を有する水栓１と、
吐水管１２末端に構成されて給水の吐水を行う泡沫器１２２が取り付けられた吐水口１２１と、
水栓１に接続して、給水設備からの給水によって排水管２２内の洗浄を行う洗浄ユニット３と、
から構成される排水管の洗浄器具において、
前記洗浄ユニット３を、
排水管２２の開口に挿入される洗浄用管体３２と、
一方の端部に吐水口１２１、他方の端部に洗浄用管体３２をそれぞれ接続するジョイント部材３１と、
から構成し、
前記ジョイント部材３１の吐水口１２１が接続される側の端部を、泡沫器１２２を取り外した吐水口１２１に接続することを特徴とする排水管の洗浄器具。
【請求項２】
給水設備からの給水の開閉を行う、シャワーホース１３を有する水栓１と、
シャワーホース１３末端に構成されて給水の吐水を行うシャワーヘッド１３２が取り付けられたシャワーホース接続口１３１と、
水栓１に接続して、給水設備からの給水によって排水管２２内の洗浄を行う洗浄ユニット３と、
から構成される排水管の洗浄器具において、
前記洗浄ユニット３を、
排水管２２の開口に挿入される洗浄用管体３２と、
一方の端部にシャワーホース接続口１３１、他方の端部に洗浄用管体３２をそれぞれ接続するジョイント部材３１と、
から構成し、
前記ジョイント部材３１のシャワーホース接続口１３１が接続される側の端部を、シャワーヘッド１３２を取り外したシャワーホース接続口１３１に接続することを特徴とする排水管の洗浄器具。
【請求項３】
給水設備からの給水の開閉を行う、吐水管１２を有する水栓１と、
吐水管１２末端に構成されて給水の吐水を行う吐水口１２１と、
水栓１に接続して、給水設備からの給水によって排水管２２内の洗浄を行う洗浄ユニット３と、
から構成される排水管の洗浄器具において、
前記洗浄ユニット３と吐水口１２１を水密的に接続する為の押圧連結ユニット４を構成し、
当該押圧連結ユニット４は、
通水口４１１が開口され、通水口４１１の上面に吐水口１２１と水密的に当接する水密部材４３と、通水口４１１の下面に前記洗浄ユニット３が接続される連結ユニット接続口４４と、を構成する基板部４１と、
前記吐水管１２を基板部４１側へ押圧し、吐水口１２１を水密部材４３を介して基板部４１に水密的に当接させる押圧部４２と、
から構成するとともに、
前記洗浄ユニット３を、
排水管２２の開口に挿入される洗浄用管体３２と、
一方の端部に前記連結ユニット接続口４４、他方の端部に洗浄用管体３２をそれぞれ接続するジョイント部材３１と、
から構成したことを特徴とする排水管の洗浄器具。
【請求項４】
給水設備からの給水の開閉を行う、シャワーホース１３を有する水栓１と、
シャワーホース１３末端に構成されて給水の吐水を行うシャワーヘッド１３２と、
水栓１に接続して、給水設備からの給水によって排水管２２内の洗浄を行う洗浄ユニット３と、
から構成される排水管の洗浄器具において、
前記洗浄ユニット３とシャワーヘッド１３２を水密的に接続する為の押圧連結ユニット４を構成し、
当該押圧連結ユニット４は、
通水口４１１が開口され、通水口４１１の上面にシャワーヘッド１３２と水密的に当接する水密部材４３と、通水口４１１の下面に前記洗浄ユニット３が接続される連結ユニット接続口４４と、を構成する基板部４１と、
前記シャワーヘッド１３２を基板部４１側へ押圧し、シャワーヘッド１３２を水密部材４３を介して基板部４１に水密的に当接させる押圧部４２と、
から構成するとともに、
前記洗浄ユニット３を、
排水管２２の開口に挿入される洗浄用管体３２と、
一方の端部に前記連結ユニット接続口４４、他方の端部に洗浄用管体３２をそれぞれ接続するジョイント部材３１と、
から構成したことを特徴とする排水管の洗浄器具。
【請求項５】
前記押圧連結ユニット４の構造を、
基板部４１の上方に構成された上面部４６と、
基板部４１に対し上面部４６を、位置を固定するようにして支持接続する支持部４５と、
上面部４６に貫通して構成された雌ねじ部４７２と、
当該雌ねじ部４７２に螺合する雄ねじ部４７１と、
雄ねじ部４７１の下端に構成される押圧部４２と、から構成し、
前記雄ねじ部４７１と雌ねじ部４７２を螺合させ、押圧部４２を吐水管１２又はシャワーヘッド１３２に押し当てて基板部４１側へ押圧し、水密部材４３を介して基板部４１に当接して押圧することを特徴とする前記請求項３又は請求項４に記載の排水管の洗浄器具。
【請求項６】
前記押圧連結ユニット４の構造を、
吐水管１２又はシャワーヘッド１３２を基板部４１側へ押圧する為の押圧部４２と、
押圧部４２又は基板部４１いずれか一方に構成された留め具４８２と、
留め具４８２が構成されない方の押圧部４２又は基板部４１いずれか一方に構成されて、前記留め具４８２に係合するとともに、押圧部４２と基板部４１を引き寄せ固定する固定引き寄せ具４８１と、から構成し、
前記固定引き寄せ具４８１を操作することで留め具４８２に係合させ、押圧部４２と基板部４１を引き寄せて押圧部４２を吐水管１２又はシャワーヘッド１３２に押し当てて基板部４１側へ押圧し、水密部材４３を介して基板部４１に当接して押圧することを特徴とする前記請求項３又は請求項４記載の排水管の洗浄器具。
【請求項７】
前記水密部材４３が蛇腹形状であることを特徴とする前記請求項３乃至請求項６のいずれか一つに記載の排水管の洗浄器具。
【請求項８】
前記洗浄ユニット３のジョイント部材３１は、前記吐水口１２１と、シャワーホース接続口１３１又は連結ユニット接続口４４のいずれか一つに構成されたねじと螺合するねじを構成した洗浄ユニット接続口３１１と、
前記洗浄用管体３２側の水を洗浄ユニット接続口３１１より上流側へ逆流することを防止する逆止弁３１４と、
から構成され、
ジョイント部材３１の他方の端部には洗浄用管体３２の一端が水密的に接続されるとともに、
洗浄用管体３２の他端は給水設備からの水が噴出するヘッドノズル３３が構成されていることを特徴とする前記請求項１乃至請求項７のいずれか一つに記載の排水管の洗浄器具。
【請求項９】
前記ジョイント部材３１の吐水口１２１と、シャワーホース接続口１３１又は連結ユニット接続口４４と接続される側の端部を洗浄ユニット接続口３１１とし、当該洗浄ユニット接続口３１１の口径を、吐水口１２１と、シャワーホース接続口１３１又は連結ユニット接続口４４のいずれか一つの口径に変換する為のアダプター部材５を構成したことを特徴とする前記請求項１乃至請求項８のいずれか一つに記載の排水管の洗浄器具。
【請求項１０】
設備機器へ接続するための規格化された継ぎ手を有する水栓１の吐水口１２１を備え、
前記アダプター部材５の吐水口１２１に接続される側の端部に、規格化された継ぎ手と接続する継ぎ手接続構造を備えたことを特徴とする前記請求項９に記載の排水管の洗浄器具。
【発明の詳細な説明】
【技術分野】
【０００１】
本発明は、浴槽や流し台、洗面台や各種槽体の水栓を利用し、槽体の排水管内の洗浄を行う排水管の洗浄器具に関するものである。
【背景技術】
【０００２】
本従来例の排水管の洗浄器具は、図示しないが台所の流し台に用いられる。
本従来例の排水管の洗浄器具は、槽体と、水栓と、排水管と、洗浄ユニットと、から構成される。
槽体は、台所の流し台に取り付けられる箱体であって、底面に後述する排水管が接続される排水口が開口されている。
水栓は、水栓は、浴室や台所、洗面台などの給水設備で、開閉操作を行うものであって、ハンドルやレバーを操作して開閉や水量の調節を行うものであって、槽体の天板に配置構成されている。また、本従来例の水栓は、レバーと、吐水管と、吐水口と、泡沫器と、から構成される。
レバーは、給水の吐水を使用者が操作するものであって、本従来例ではレバーを上下動させることで、水栓内の止水コマが水栓内部の管路を開閉し、吐水口より水を吐水することができる。
吐水管は、水栓の吐水を行う管体であって、水栓のレバーから槽体内に向けて延出する管体である。
吐水口は、吐水管の末端に構成される開口であって、当該吐水管からの水が排出される。吐水口には後述する泡沫器が取り付けられるための雄ねじが螺刻されている。
泡沫器は、吐水口に取り付けられる部品であって、吐水口から排出される吐水を、泡沫させる為の部品である。一般的には整流パーツと呼ばれるメッシュ状の部品と、整流パーツを吐水口の雄ねじに螺合して取付固定するための袋ナット状の雌ねじから構成されている。当該部品は整流パーツ等の部品の修理やメンテナンスの為に取り外し可能であり、使用者でも簡単に取り外せるようになっている。（特許文献１参照）
排水管は、槽体の底面に開口された排水口に接続される排水管であって、排水管の途中箇所には、従来から周知の排水トラップと呼ばれる内部に封水を貯水して下流からの害虫や臭気を逆流させない為の部品が備えられている。
洗浄ユニットは、排水管内部を清掃するために、排水口から排水管内部に挿入するための部品であり、取付用金具と、洗浄用管体と、ヘッドノズルから構成される。
取付用金具は、後述する洗浄用管体を前記水栓の吐水管に取り付ける為の金具であって、締め付け用の金具製ベルトと、当該ベルトを締め付ける為のコックから成る。予めコックをゆるめておき、洗浄用管体を吐水管に挿入させてから、コックを閉めると締め付け用ベルトが洗浄用管体と吐水管を締め付け、洗浄用管体と吐水管を接続することができる。
洗浄用管体は、内部に水を通過させるための可撓性を有した管体であり、一端に取付用金具を備え、他端に後述するヘッドノズルを備える。当該洗浄用管体を槽体の排水口から排水管内部に挿入させ、排水管内部の清掃を行う。
ヘッドノズルは、洗浄用管体の先端に接続される部品であり、洗浄用管体内の径より小径の噴出口を備え、洗浄用管体内部の水を加圧して排出することができる部材である。（以上は特許文献２参照）
【０００３】
上記の従来例である排水管の洗浄器具は以下のように使用される。
ます、水栓に洗浄ユニットを接続する。具体的には、水栓の吐水管外周に洗浄ユニットの洗浄用管体を挿入する。このとき、取付用金具のコックは予め緩めておき、締め付け用ベルトを吐水管の周囲に配置し、コックを締め付ける。そうすると、コックによって締め付け用ベルトが洗浄用管体を介して吐水管を締め付け、結果的に洗浄用管体が吐水管に水密的に取り付けることができる。
また、その後、洗浄用管体を排水口から排水管内部に挿入する。そして、水栓を開栓すると、吐水口から水が吐水され、吐水管に接続された洗浄用管体内を通過し、洗浄用管体の先端に配置しているヘッドノズルにより高圧の水が噴出する。ヘッドノズルの開口は洗浄用管体よりも小径な為、洗浄用管体内の水が圧縮され、高圧の水がヘッドノズルより噴出する。
そして、使用者が適宜洗浄用管体を操作し、排水管内、そして排水トラップより下流を通過させて排水管内の汚れやヌメリ、つまりを下流へ洗い流すことができる。
【先行技術文献】
【特許文献】
【０００４】
【特許文献１】特開２００４−１９７４８８号
【特許文献２】特階２０１２−１９７５９７号
【発明の概要】
【発明が解決しようとする課題】
【０００５】
従来例での排水管の洗浄器具では以下のような問題があった。
水栓は、意匠性の問題や、吐水形態（シャワー水栓など）の相違により、非常に多種多様な形状であり、特に吐水管や吐水口の形状は多種多様であった。
従来例のように、締め付け用金具や針金などで吐水管に洗浄用管体を取り付けていたが、これは上述のように、水栓の形状が多種多様な為、針金や締め付け用金具で取り付けて、水栓の多種多様に対応していた。しかし、洗浄用管体内の水は高圧となり、水圧に耐えうるように接続しなければならないため、きつくコックや針金を閉めたりせねばならず、取付に手間がかかっていた。
また、一般の使用者などの素人が取り付けると、取付用金具の締め付け不良等や水圧の力で洗浄用管体が脱落してしまう事があった。洗浄用管体が吐水管より脱落すると、吐水の水圧により水が周囲に飛散してしまう為、非常に問題であった。
また、前述のように、水栓の形状は多種多様な為、そもそも洗浄用管体と吐水管の口径の相違により取り付けることが不可能なことがあった。
また、水栓の種類のうち、シャワー水栓とよばれるものがある。シャワー水栓は、吐水管の代わりにシャワーホースが接続され、シャワーホースの端部には、シャワーヘッドが接続されており、当該シャワーヘッドにより、吐水をシャワー状にしている。このシャワー水栓は従来より一般的に用いられているが、このシャワー水栓を使用する場合、前述したような排水管の洗浄用管体ではシャワーヘッドに取り付けることが出来なかった。
また、例えば洗濯機などの設備機器に給水する場合、水栓に規格化された継ぎ手が取り付けられており、給水設備からのホース端部に当該継ぎ手に対応する継ぎ手が構成されていて、設備機器からのホースは水栓の継ぎ手に接続されるようになっている。このように水栓に予め規格化された継ぎ手が接続されている場合、前述したような洗浄用管体を取り付ける場合、わざわざ専用工具等を使用して水栓と継ぎ手を分離せねばならず、一般の使用者にとって、非常に手間であるばかりか、分離作業が不可能な場合もあった。
【０００６】
以上のことから、本願発明は以下の課題を解決する。
１．一般人でも排水管の洗浄器具を簡単に水栓に取り付けることができる。 
２．多種多様な形状の水栓でも排水管の洗浄器具を取り付けることができる。
３．シャワーヘッドを用いた水栓でも簡単に排水管の洗浄器具を取り付けることができる。
４．水栓の泡沫器やシャワーヘッドが取り外せない水栓でも、簡単に排水管の洗浄用器具を取り付けることができる。
５．設備機器の為に水栓に継ぎ手が取り付けられている場合でも、わざわざ継ぎ手を取り外したりせずとも簡単に洗浄器具を取り付けることができる。
【課題を解決するための手段】
【０００７】
請求項１に記載の排水管の洗浄器具は、給水設備からの給水の開閉を行う、吐水管１２を有する水栓１と、吐水管１２末端に構成されて給水の吐水を行う泡沫器１２２が取り付けられた吐水口１２１と、水栓１に接続して、給水設備からの給水によって排水管２２内の洗浄を行う洗浄ユニット３と、から構成される排水管の洗浄器具において、前記洗浄ユニット３を、排水管２２の開口に挿入される洗浄用管体３２と、一方の端部に吐水口１２１、他方の端部に洗浄用管体３２をそれぞれ接続するジョイント部材３１と、から構成し、前記ジョイント部材３１の吐水口１２１が接続される側の端部を、泡沫器１２２を取り外した吐水口１２１に接続することを特徴とする排水管の洗浄器具である。
【０００８】
請求項２に記載の排水管の洗浄器具は、給水設備からの給水の開閉を行う、シャワーホース１３を有する水栓１と、シャワーホース１３末端に構成されて給水の吐水を行うシャワーヘッド１３２が取り付けられたシャワーホース接続口１３１と、水栓１に接続して、給水設備からの給水によって排水管２２内の洗浄を行う洗浄ユニット３と、から構成される排水管の洗浄器具において、前記洗浄ユニット３を、排水管２２の開口に挿入される洗浄用管体３２と、一方の端部にシャワーホース接続口１３１、他方の端部に洗浄用管体３２をそれぞれ接続するジョイント部材３１と、から構成し、前記ジョイント部材３１のシャワーホース接続口１３１が接続される側の端部を、シャワーヘッド１３２を取り外したシャワーホース接続口１３１に接続することを特徴とする排水管の洗浄器具である。
【０００９】
請求項３に記載の排水管の洗浄器具は、給水設備からの給水の開閉を行う、吐水管１２を有する水栓１と、吐水管１２末端に構成されて給水の吐水を行う吐水口１２１と、水栓１に接続して、給水設備からの給水によって排水管２２内の洗浄を行う洗浄ユニット３と、から構成される排水管の洗浄器具において、前記洗浄ユニット３と吐水口１２１を水密的に接続する為の押圧連結ユニット４を構成し、当該押圧連結ユニット４は、通水口４１１が開口され、通水口４１１の上面に吐水口１２１と水密的に当接する水密部材４３と、通水口４１１の下面に前記洗浄ユニット３が接続される連結ユニット接続口４４と、を構成する基板部４１と、前記吐水管１２を基板部４１側へ押圧し、吐水口１２１を水密部材４３を介して基板部４１に水密的に当接させる押圧部４２と、から構成するとともに、前記洗浄ユニット３を、排水管２２の開口に挿入される洗浄用管体３２と、一方の端部に前記連結ユニット接続口４４、他方の端部に洗浄用管体３２をそれぞれ接続するジョイント部材３１と、から構成したことを特徴とする排水管の洗浄器具である。
【００１０】
請求項４に記載の排水管の洗浄器具は、水設備からの給水の開閉を行う、シャワーホース１３を有する水栓１と、シャワーホース１３末端に構成されて給水の吐水を行うシャワーヘッド１３２と、水栓１に接続して、給水設備からの給水によって排水管２２内の洗浄を行う洗浄ユニット３と、から構成される排水管の洗浄器具において、前記洗浄ユニット３とシャワーヘッド１３２を水密的に接続する為の押圧連結ユニット４を構成し、当該押圧連結ユニット４は、通水口４１１が開口され、通水口４１１の上面にシャワーヘッド１３２と水密的に当接する水密部材４３と、通水口４１１の下面に前記洗浄ユニット３が接続される連結ユニット接続口４４と、を構成する基板部４１と、前記シャワーヘッド１３２を基板部４１側へ押圧し、シャワーヘッド１３２を水密部材４３を介して基板部４１に水密的に当接させる押圧部４２と、から構成するとともに、前記洗浄ユニット３を、排水管２２の開口に挿入される洗浄用管体３２と、一方の端部に前記連結ユニット接続口４４、他方の端部に洗浄用管体３２をそれぞれ接続するジョイント部材３１と、から構成したことを特徴とする排水管の洗浄器具である。
【００１１】
請求項５に記載の排水管の洗浄器具は、前記押圧連結ユニット４の構造を、基板部４１の上方に構成された上面部４６と、基板部４１に対し上面部４６を、位置を固定するようにして支持接続する支持部４５と、上面部４６に貫通して構成された雌ねじ部４７２と、当該雌ねじ部４７２に螺合する雄ねじ部４７１と、雄ねじ部４７１の下端に構成される押圧部４２と、から構成し、前記雄ねじ部４７１と雌ねじ部４７２を螺合させ、押圧部４２を吐水管１２又はシャワーヘッド１３２に押し当てて基板部４１側へ押圧し、水密部材４３を介して基板部４１に当接して押圧することを特徴とする前記段落０００９又は段落００１０に記載の排水管の洗浄器具である。
【００１２】
請求項６に記載の排水管の洗浄器具は、前記押圧連結ユニット４の構造を、吐水管１２又はシャワーヘッド１３２を基板部４１側へ押圧する為の押圧部４２と、押圧部４２又は基板部４１いずれか一方に構成された留め具４８２と、留め具４８２が構成されない方の押圧部４２又は基板部４１いずれか一方に構成されて、前記留め具４８２に係合するとともに、押圧部４２と基板部４１を引き寄せ固定する固定引き寄せ具４８１と、から構成し、前記固定引き寄せ具４８１を操作することで留め具４８２に係合させ、押圧部４２と基板部４１を引き寄せて押圧部４２を吐水管１２又はシャワーヘッド１３２に押し当てて基板部４１側へ押圧し、水密部材４３を介して基板部４１に当接して押圧することを特徴とする前記段落０００９又は段落００１０記載の排水管の洗浄器具である。
【００１３】
請求項７に記載の排水管の洗浄器具は、前記水密部材４３が蛇腹形状であることを特徴とする前記段落０００９乃至段落００１２のいずれか一つに記載の排水管の洗浄器具である。
【００１４】
請求項８に記載の排水管の洗浄器具は、前記洗浄ユニット３のジョイント部材３１は、前記吐水口１２１と、シャワーホース接続口１３１又は連結ユニット接続口４４のいずれか一つに構成されたねじと螺合するねじを構成した洗浄ユニット接続口３１１と、前記洗浄用管体３２側の水を洗浄ユニット接続口３１１より上流側へ逆流することを防止する逆止弁３１４と、から構成され、ジョイント部材３１の他方の端部には洗浄用管体３２の一端が水密的に接続されるとともに、洗浄用管体３２の他端は給水設備からの水が噴出するヘッドノズル３３が構成されていることを特徴とする前記段落０００７乃至段落００１３のいずれか一つに記載の排水管の洗浄器具である。
【００１５】
請求項９に記載の排排水管の洗浄器具は、前記ジョイント部材３１の吐水口１２１と、シャワーホース接続口１３１又は連結ユニット接続口４４と接続される側の端部を洗浄ユニット接続口３１１とし、当該洗浄ユニット接続口３１１の口径を、吐水口１２１と、シャワーホース接続口１３１又は連結ユニット接続口４４のいずれか一つの口径に変換する為のアダプター部材５を構成したことを特徴とする前記段落０００７乃至段落００１４のいずれか一つに記載の排水管の洗浄器具である。
【００１６】
請求項１０に記載の排排水管の洗浄器具は、設備機器へ接続するための規格化された継ぎ手を有する水栓１の吐水口１２１を備え、前記アダプター部材５の吐水口１２１に接続される側の端部に、規格化された継ぎ手と接続する継ぎ手接続構造を備えたことを特徴とする前記段落００１５に記載の排水管の洗浄器具である。
【発明の効果】
【００１７】
請求項１に記載の本発明は、洗浄ユニット３を、排水管２２の開口に挿入される洗浄用管体３２と、一方の端部に吐水口１２１と、他方の端部に洗浄用管体３２をそれぞれ接続するジョイント部材３１と、から構成し、前記ジョイント部材３１の吐水口１２１が接続される側の端部を、泡沫器１２２を取り外した吐水口１２１に接続するように構成したことから、多種多様な形状の水栓１であっても、また、施工に不慣れな一般人でも簡単に吐水管１２に洗浄ユニット３を取り付けることができる。
請求項２に記載の本発明は、洗浄ユニット３を、排水管２２の開口に挿入される洗浄用管体３２と、一方の端部にシャワーホース接続口１３１、他方の端部に洗浄用管体３２をそれぞれ接続するジョイント部材３１と、から構成し、前記ジョイント部材３１のシャワーホース接続口１３１が接続される側の端部を、シャワーヘッド１３２を取り外したシャワーホース接続口１３１に接続するように構成したことから、シャワーヘッド１３２が取り付けられている水栓１であっても、また、施工に不慣れな一般人でも簡単に洗浄ユニット３を取り付けることができる。
請求項３に記載の本発明は、洗浄ユニット３と吐水口１２１を水密的に接続する為の押圧連結ユニット４を構成し、該洗浄ユニット３を、排水管２２の開口に挿入される洗浄用管体３２と、一方の端部に前記連結ユニット接続口４４、他方の端部に洗浄用管体３２をそれぞれ接続するジョイント部材３１と、から構成したことから、吐水口１２１にジョイント部材３１が接続できなくても、押圧連結ユニット４によって、施工に不慣れな一般人でも簡単に吐水口１２１とジョイント部材３１を接続することができ、排水管２２内の洗浄を行うことができる。
請求項４に記載の本発明は、洗浄ユニット３とシャワーヘッド１３２を水密的に接続する為の押圧連結ユニット４を構成し、該洗浄ユニット３を、排水管２２の開口に挿入される洗浄用管体３２と、一方の端部に前記連結ユニット接続口４４、他方の端部に洗浄用管体３２をそれぞれ接続するジョイント部材３１と、から構成したことから、シャワーヘッド１３２にジョイント部材３１が接続できなくても、押圧連結ユニット４によって、施工に不慣れな一般人でも簡単にシャワーヘッド１３２とジョイント部材３１を接続することができ、排水管２２内の洗浄を行うことができる。
請求項５に記載の本発明は、押圧連結ユニット４の構造を、基板部４１の上方に構成された上面部４６と、基板部４１の周囲に構成された支持部４５と、上面部４６に貫通して構成された雌ねじ部４７２と、当該雌ねじ部４７２に螺合する雄ねじ部４７１と、雄ねじ部４７１の下端に構成される押圧部４２と、から構成し、前記雄ねじ部４７１と雌ねじ部４７２を螺合させ、螺合による雄ねじの前進を利用して押圧部４２を吐水管１２又はシャワーヘッド１３２に押し当てて基板部４１側へ押圧し、水密部材４３を介して基板部４１に当接して押圧する構成としたことにより、ネジの螺合操作のみで一般人でも簡単に洗浄ユニット３と水栓１を接続することができる。
請求項６に記載の本発明は、押圧連結ユニット４の構造を、吐水管１２又はシャワーヘッド１３２を基板部４１側へ押圧する為の押圧部４２と、押圧部４２又は基板部４１いずれか一方に構成された留め具４８２と、留め具４８２が構成されない方の押圧部４２又は基板部４１いずれか一方に構成されて、前記留め具４８２に係合するとともに、押圧部４２と基板部４１を引き寄せ固定する固定引き寄せ具４８１と、から構成し、前記固定引き寄せ具４８１を操作することで留め具４８２に係合させ、押圧部４２と基板部４１を引き寄せて押圧部４２を吐水管１２又はシャワーヘッド１３２に押し当てて基板部４１側へ押圧し、水密部材４３を介して基板部４１に当接して押圧する構成としたことにより、固定引き寄せ具４８１の操作のみで一般人でも簡単に洗浄ユニット３と水栓１を接続することができる。
請求項７に記載の本発明は、水密部材４３を蛇腹形状としたことにより、シャワーヘッド１３２や吐水口１２１の多種多様な形状に併せて蛇腹が変形し、適切に当接することができ、より水密性を高めることができる。
請求項８に記載の本発明は、洗浄ユニット３のジョイント部材３１を、前記吐水口１２１と、シャワーホース接続口１３１又は連結ユニット接続口４４のいずれか一つに構成されたねじと螺合するねじを構成した洗浄ユニット接続口３１１と、前洗浄用管体３２側の水を洗浄ユニット接続口３１１より上流側へ逆流することを防止する逆止弁３１４と、から構成し、ジョイント部材３１の他方の端部には洗浄用管体３２の一端が水密的に接続されるとともに、洗浄用管体３２の他端は給水設備からの水が噴出するヘッドノズル３３が構成されていることから、使用者等の一般人でも簡単に洗浄ユニット接続口３１１を吐水口１２１又はシャワーホース接続口１３１、連結ユニット接続口４４に接続することができる。
請求項９に記載の本発明は、ジョイント部材３１の吐水口１２１と、シャワーホース接続口１３１又は連結ユニット接続口４４と接続される側の端部を洗浄ユニット接続口３１１とし、当該洗浄ユニット接続口３１１の口径を、吐水口１２１と、シャワーホース接続口１３１又は連結ユニット接続口４４のいずれか一つの口径に変換する為のアダプター部材５を構成したことから、多種多様な水栓１の吐水口１２１やシャワーホース接続口１３１、連結ユニット接続口４４の口径と洗浄ユニット接続口３１１の口径が相違していても、当該アダプター部材５を用いることによって、簡単に誰でも接続することができる。
請求項１０に記載の本発明は、設備機器へ接続するための規格化された継ぎ手を有する水栓１の吐水口１２１を備え、前記アダプター部材５の吐水口１２１に接続される側の端部に、規格化された継ぎ手と接続する継ぎ手構造を備えたことから、設備機器の給水の為に水栓１に規格化された継ぎ手が取り付けられている場合でも、わざわざ継ぎ手を取り外したりせずとも簡単に洗浄器具を取り付けることができる。
【図面の簡単な説明】
【００１８】
【図１】実施例１の槽体を示す断面図である。
【図２】実施例１の洗浄器具を用いて排水管内の清掃を行っている所を示す断面図である。
【図３】一般的な吐水管と吐水口を備えた水栓を示す図である。
【図４】本発明の洗浄ユニットを示す断面図である。
【図５】本発明の洗浄ユニットを示す断面図である。
【図６】実施例１の取付工程を示す斜視図である。
【図７】実施例１の水栓に洗浄ユニットを取り付けた状態を示す斜視図である。
【図８】一般的なシャワーヘッドとシャワーホースを備えたシャワー水栓を示す図である。
【図９】実施例２のシャワー水洗に洗浄ユニットを取り付けた状態を示す斜視図である。
【図１０】実施例３の押圧連結ユニットを示す図である。
【図１１】実施例３のシャワー水栓に押圧連結ユニットを介して洗浄ユニットを取り付けた状態を示す図である。
【図１２】その他の実施例の押圧連結ユニットを示す図である。
【図１３】その他の実施例のシャワー水栓に押圧連結ユニットを介して洗浄ユニットを取り付けた状態を示す図である。
【図１４】その他の実施例における、アダプター部材を用いて洗浄ユニットをシャワー水栓に取り付けた状態を示す図である。
【発明を実施するための形態】
【実施例１】
【００１９】
本実施例は、図１乃至図７に示される、台所の流し台に用いられる排水管の洗浄器具である。
本実施例の排水管の洗浄器具は、台所の流し台に用いられる。
本実施例の排水管の洗浄器具は、図２に示すように、水栓１と、洗浄ユニット３とから構成され、槽体２の排水管２２の洗浄を行う。
槽体２は、台所の流し台に取り付けられる箱体であって、底面に後述する排水管２２が接続される排水口２１が開口されている。
水栓１は、図３に示すように、浴室や台所、洗面台などの給水設備で、開閉操作を行うものであり、ハンドルやレバー１４を操作して開閉や水量の調節を行う。本実施例では槽体２の天板に配置構成されており、レバー１４と、吐水管１２と、吐水口１２１と、泡沫器１２２と、から構成される。
レバー１４は、給水の吐水を使用者が操作するものであって、本実施例ではレバー１４を上下動させることで、水栓１内の止水コマが水栓１内部の管路を開閉し、吐水口１２１より水を吐水することができる。
吐水管１２は、図３に示すように、水栓１の吐水を行う内部に水が通過する管体であって、水栓１のレバー１４から槽体２内に向けて延出する管体である。
吐水口１２１は、図３に示すように、吐水管１２の末端に構成される開口であって、当該吐水管１２からの水が外部に吐水される開口である。吐水口１２１には後述する泡沫器１２２が取り付けられるための雄ねじが螺刻されている。
泡沫器１２２は、図３に示すように、吐水口１２１に取り付けられる部品であって、吐水口１２１から排出される吐水を、泡沫させる為の部品である。泡沫器１２２は整流パーツと呼ばれるメッシュ状の部品と、整流パーツを吐水口１２１の雄ねじに螺合して取付固定するための袋ナット状の雌ねじから構成されている。当該部品は整流パーツ等の部品の修理やメンテナンスの為にネジを利用し吐水口１２１から取り外し可能であり、使用者でも簡単に取り外せるようになっている。
排水管２２は、図２に示すように、槽体２の底面に開口された排水口２１に接続される排水管２２であって、排水管２２の途中箇所には、従来から周知の排水トラップ２３と呼ばれる内部に封水を貯水して下流からの害虫や臭気を逆流させない為の部品が備えられている。
洗浄ユニット３は、図４及び図５に示すように、排水管２２内部を清掃するために、排水口２１から排水管２２内部に挿入するための部品である。本実施例では、ジョイント部材３１と、逆止弁３１４と、洗浄用管体３２と、ヘッドノズル３３から構成される。
ジョイント部材３１は、後述する洗浄用管体３２を前記水栓１の吐水管１２に取り付ける為の部材である。
ジョイント部材３１は、洗浄ユニット接続口３１１、パッキン部材３１３、洗浄用管体接続口３１２、から構成される。
洗浄ユニット接続口３１１は、前記吐水口１２１に接続される開口であって、吐水口１２１の雄ねじに螺合する雌ねじを構成する。本実施例では袋ナットに雌ねじを構成している。
パッキン部材３１３は、洗浄ユニット接続口３１１と吐水口１２１に当接して両者を水密化する為の部材である。
洗浄用管体接続口３１２は、ジョイント部材３１の下端に位置し、後述する洗浄用管体３２が水密的に接続される。この洗浄用管体接続口３１２と洗浄用管体３２は、止水部材３１５を介して水密的に接続される。
逆止弁３１４は、本実施例ではジョイント部材３１内に着脱自在に配置され、具体的には洗浄ユニット接続口３１１と洗浄用管体接続口３１２の間に配置され、吐水管１２から吐水される水は下流の洗浄用管体３２側へ通過させるが、洗浄用管体３２内の水が吐水管１２側へ逆流することを防ぐ部材である。本実施例での逆止弁３１４は、上流開口と下流開口を備えた筒体であって、外周に止水用のＯリングなどの水密化を図る部材が配置されている。また、逆止弁３１４の中心には軸が備えられ、内部にスプリングにより常時上方に付勢されて上流開口を閉口する弁を備える。また、この逆止弁３１４は、吐水口１２１から水が吐水されると、逆止弁３１４中のスプリングの付勢により上流開口を閉塞している弁が、吐水の水圧により下流開口側へ下降し、上流開口を開口する。そして、逆止弁３１４内を通過して逆止弁３１４の下流開口から下流へと吐水される。また、吐水が終了すると、吐水の水圧が無くなるので、水圧により下降していた弁が、スプリングの付勢により上方に弾発され、上流開口を閉塞する。また、洗浄用管体３２側の水が、何らかの理由により吐水口１２１側へと逆流しても、当該逆止弁３１４の弁が逆流の水圧に併せて上流開口を閉塞する為、洗浄用管体３２側の水が吐水口１２１側へ逆流するようなことはない。
洗浄用管体３２は、内部に水を通過させるための側面方向に可撓性を、そして軸方向に剛性を有した管体であり、一端はジョイント部材３１の洗浄用管体接続口３１２に接続される端部を備え、他端に後述するヘッドノズル３３を備える。当該洗浄用管体３２を槽体２の排水口２１から排水管２２内部に挿入させ、排水管２２内部の清掃を行う。
ヘッドノズル３３は、洗浄用管体３２の先端に接続される部品であり、洗浄用管体３２内の径より小径の噴出口を備え、洗浄用管体３２内部の水を加圧して排出することができる部材である。
【００２０】
上記の実施例である排水管の洗浄器具は以下のように取付けされる。
なお、これらの作業は、専門の人間が行っても良いし、使用者などの一般人が行っても良い。
まず、水栓１に洗浄ユニット３を接続する。
具体的には、図３のように、水栓１の吐水管１２下端に備えられた吐水口１２１の泡沫器１２２を取り外す。このとき、泡沫器１２２の雌ねじと吐水口１２１の雄ねじの螺合を解除して取り外す。ネジ螺合の解除の為、使用者などの一般人でも簡単に取り外すことが可能である。
泡沫器１２２を取り外し、図６に示すように、更に内部の整流パーツ等も取り外し、洗浄ユニット３のジョイント部材３１の洗浄ユニット接続口３１１を吐水口１２１に当接させ、ジョイント部材３１の雌ねじが構成された袋ナットを吐水口１２１の雄ねじに螺合させ、両者を水密的に接続させる。そうすると、図７に示すように、ジョイント部材３１に接続された洗浄用管体３２が吐水管１２に水密的に取り付けられる。
このようにして、洗浄ユニット３は水栓１に水密的に取り付けられる。
また、逆に洗浄ユニット３を水栓１から取り外す際は、ジョイント部材３１の洗浄ユニット接続口３１１の雌ねじと吐水口１２１の雄ねじのねじ螺合を解除させ、ジョイント部材３１と吐水口１２１と分離させる。その後、吐水口１２１に整流パーツを取付け、泡沫器１２２の雌ねじを吐水口１２１の雄ねじに螺合させ、泡沫器１２２を吐水口１２１に取り付けることで、水栓１から洗浄ユニット３を取り外すことができる。
【００２１】
前記した排水管の洗浄器具の使用方法は以下に記載する。
図２に示すように、吐水管１２に洗浄ユニット３を取り付けた状態で、洗浄用管体３２を排水口２１から排水管２２内部に挿入する。そして、水栓１のレバー１４を開栓すると、吐水口１２１から水が吐水され、ジョイント部材３１の洗浄ユニット接続口３１１からジョイント部材３１内に水が流入する。そして、逆止弁３１４の上流開口から逆止弁３１４内に水が流入する。このとき、水の水圧により逆止弁３１４の弁は上流開口から下降し、上流開口を開口している。そして、逆止弁３１４の下流開口を通過し、洗浄用管体接続口３１２から洗浄用管体３２内へ水が流入する。洗浄用管体３２内の水は、洗浄用管体３２の先端に配置しているヘッドノズル３３により洗浄用管体３２の外部へ高圧の水が噴出する。なお、ヘッドノズル３３の噴出開口は洗浄用管体３２よりも小径な為、その分噴出開口の水圧が増し、高圧の水がヘッドノズル３３より噴出することができる。
そして、使用者が適宜洗浄用管体３２を操作し、排水管２２内、そして排水トラップ２３より下流を洗浄用管体３２で通過させ、且つ高圧の水を噴射することにより排水管２２内の汚れやヌメリ、つまりを下流へ洗い流すことができる。
また、洗浄が終了すれば、使用者は水栓１のレバー１４を戻し、吐水を終了させてから洗浄用管体３２を排水口２１から抜き出し、洗浄が終了する。なお、洗浄ユニット３の取り外しに関しては前記段落にて説明している為ここでは記載しない。
【実施例２】
【００２２】
本実施例は、図８乃至図９に示される、浴室に用いられる排水管の洗浄器具である。
本実施例の排水管の洗浄器具は、水栓１と、洗浄ユニット３とから構成され、槽体２や防水パンに構成された排水管２２の洗浄を行う。
槽体２は、浴室に取り付けられる箱体、いわゆる浴槽であって、底面に後述する排水管２２が接続される排水口２１が開口されている。
洗い場防水パンは、浴槽の横に設置される防水パンであって、使用者が体を洗ったりするスペースであり、底部には後述する排水管２２が接続される排水口２１が開口されている。
水栓１は、図３に示すように、浴室や台所、洗面台などの給水設備で、吐水の開閉操作を行うものであり、ハンドルやレバー１４を操作して吐水の開閉や水量の調節を行う。本実施例では浴室内に配置構成されており、レバー１４と、吐水管１２と、吐水口１２１と、シャワーホース１３と、シャワーヘッド１３２と、から構成される。
レバー１４は、給水の吐水を使用者が操作するものであって、本実施例ではレバー１４を上下動させることで、水栓１内の止水コマが水栓１内部の管路を開閉し、吐水口１２１及びシャワーヘッド１３２より水を吐水することができる。また、本実施例では、使用者の操作により、水栓１の吐水を、後述する吐水口１２１からか、またはシャワーヘッド１３２からか、適宜選択して吐水することができる。
吐水管１２は、水栓１の吐水を行う内部に水が通過する管体であって、水栓１のレバー１４から槽体２内に向けて延出する管体である。
吐水口１２１は、吐水管１２の末端に構成される開口であって、当該吐水管１２からの水が外部に吐水される開口である。
シャワーホース１３は、図８に示すように、水栓１の吐水を行う内部に水が通過する可撓性を有した管体であって、水栓１のレバー１４から延出して配置される管体である。また、一端は水栓１に接続され、他端には後述のシャワーヘッド１３２が接続されるシャワーホース接続口１３１が開口される。シャワーホース接続口１３１は、シャワーヘッド１３２の雌ねじと螺合する雄ねじが螺刻されている。
シャワーヘッド１３２は、図８に示すように、シャワーホース１３の先端に接続される、水を分散して噴射する器具であり、小さな無数の穴が開いて構成される。シャワーヘッド１３２端部には、シャワーホース接続口１３１の雄ねじと螺合する袋ナット状の雌ねじが構成されている。
排水管２２は、槽体２の底面又は洗い場防水パンに開口された排水口２１に接続される排水管２２であって、排水管２２の途中箇所には、従来から周知の排水トラップ２３と呼ばれる内部に封水を貯水して下流からの害虫や臭気を逆流させない為の部品が備えられている。
洗浄ユニット３は、図４及び図５に示すように、排水管２２内部を清掃するために、排水口２１から排水管２２内部に挿入するための部品である。本実施例では、ジョイント部材３１と、逆止弁３１４と、洗浄用管体３２と、ヘッドノズル３３から構成される。
ジョイント部材３１は、後述する洗浄用管体３２を前記水栓１のシャワーホース１３に取り付ける為の部材である。
ジョイント部材３１は、洗浄ユニット接続口３１１、パッキン部材３１３、洗浄用管体接続口３１２、から構成される。
洗浄ユニット接続口３１１は、前記シャワーホース接続口１３１に接続される開口であって、シャワーホース１３の雄ねじに螺合する雌ねじを構成する。本実施例では袋ナットに雌ねじを構成している。
パッキン部材３１３は、洗浄ユニット接続口３１１とシャワーホース接続口１３１に当接して両者を水密化する為の部材である。
洗浄用管体接続口３１２は、ジョイント部材３１の下端に位置し、後述する洗浄用管体３２が水密的に接続される。この洗浄用管体接続口３１２と洗浄用管体３２は、止水部材３１５を介して水密的に接続される。
逆止弁３１４は、本実施例ではジョイント部材３１内に着脱自在に配置され、具体的には洗浄ユニット接続口３１１と洗浄用管体接続口３１２の間に配置され、シャワーホース接続口１３１から吐水される水は下流の洗浄用管体３２側へ通過させるが、洗浄用管体３２内の水がシャワーホース接続口１３１側へ逆流することを防ぐ部材である。本実施例での逆止弁３１４は、上流開口と下流開口を備えた筒体であって、外周に止水用のＯリングなどの水密化を図る部材が配置されている。また、逆止弁３１４の中心には軸が備えられ、内部にスプリングにより常時上方に付勢されて上流開口を閉口する弁を備える。また、この逆止弁３１４は、シャワーホース接続口１３１から水が吐水されると、逆止弁３１４中のスプリングの付勢により上流開口を閉塞している弁が、吐水の水圧により下流開口側へ下降し、上流開口を開口する。そして、逆止弁３１４内を通過して逆止弁３１４の下流開口から下流へと吐水される。また、吐水が終了すると、吐水の水圧が無くなるので、水圧により下降していた弁が、スプリングの付勢により上方に弾発され、上流開口を閉塞する。また、洗浄用管体３２側の水が、何らかの理由によりシャワーホース接続口１３１側へと逆流しても、当該逆止弁３１４の弁が逆流の水圧に併せて上流開口を閉塞する為、洗浄用管体３２側の水がシャワーホース接続口１３１側へ逆流するようなことはない。
洗浄用管体３２は、内部に水を通過させるための側面方向には可撓性を、そして軸方向には剛性を有した管体であり、一端はジョイント部材３１の洗浄用管体接続口３１２に接続される端部を備え、他端に後述するヘッドノズル３３を備える。当該洗浄用管体３２を槽体２の排水口２１から排水管２２内部に挿入させ、排水管２２内部の清掃を行う。
ヘッドノズル３３は、洗浄用管体３２の先端に接続される部品であり、洗浄用管体３２内の径より小径の噴出口を備え、洗浄用管体３２内部の水を加圧して排出することができる部材である。
【００２３】
上記の実施例である排水管の洗浄器具は以下のように取付けされる。
なお、これらの作業は、専門の人間が行っても良いし、使用者などの一般人が行っても良い。
まず、水栓１に洗浄ユニット３を接続する。
具体的には、図８に示すように、水栓１のシャワーホース１３端部に備えられたシャワーホース接続口１３１のシャワーヘッド１３２を取り外す。このとき、シャワーヘッド１３２の雌ねじとシャワーホース接続口１３１の雄ねじの螺合を解除して取り外す。ネジ螺合の解除の為、使用者などの一般人でも簡単に取り外すことが可能である。
シャワーヘッド１３２を取り外し、洗浄ユニット３のジョイント部材３１の洗浄ユニット接続口３１１をシャワーホース接続口１３１に当接させ、ジョイント部材３１の雌ねじが構成された袋ナットをシャワーホース接続口１３１の雄ねじに螺合させ、両者を水密的に接続させる。そうすると、図９示すように、ジョイント部材３１に接続された洗浄用管体３２がシャワーホース１３に水密的に取り付けられる。
このようにして、洗浄ユニット３は水栓１に水密的に取り付けられる。
また、逆に洗浄ユニット３を水栓１から取り外す際は、ジョイント部材３１の洗浄ユニット接続口３１１の雌ねじとシャワーホース接続口１３１の雄ねじのねじ螺合を解除させ、ジョイント部材３１とシャワーホース接続口１３１と分離させる。その後、シャワーホース接続口１３１にシャワーヘッド１３２の雌ねじをシャワーホース接続口１３１の雄ねじに螺合させ、シャワーヘッド１３２をシャワーホース接続口１３１に取り付けることで、水栓１から洗浄ユニット３を取り外すことができる。
【００２４】
前記した排水管の洗浄器具の使用方法は以下に記載する。
シャワーホース１３に洗浄ユニット３を取り付けた状態で、洗浄用管体３２を排水口２１から排水管２２内部に挿入する。そして、水栓１のレバー１４を開栓すると、シャワーホース接続口１３１から水が吐水され、ジョイント部材３１の洗浄ユニット接続口３１１からジョイント部材３１内に水が流入する。そして、逆止弁３１４の上流開口から逆止弁３１４内に水が流入する。このとき、水の水圧により逆止弁３１４の弁は上流開口から下降し、上流開口を開口している。そして、逆止弁３１４の下流開口を通過し、洗浄用管体接続口３１２から洗浄用管体３２内へ水が流入する。洗浄用管体３２内の水は、洗浄用管体３２の先端に配置しているヘッドノズル３３により洗浄用管体３２の外部へ高圧の水が噴出する。なお、ヘッドノズル３３の噴出開口は洗浄用管体３２やシャワーホース接続口１３１よりも小径な為、その分噴出開口の水圧が増し、高圧の水がヘッドノズル３３より噴出することができる。
そして、使用者が適宜洗浄用管体３２を操作し、排水管２２内、そして排水トラップ２３より下流を洗浄用管体３２で通過させ、且つ高圧の水を噴射することにより排水管２２内の汚れやヌメリ、つまりを下流へ洗い流すことができる。
また、洗浄が終了すれば、使用者は水栓１のレバー１４を戻し、吐水を終了させてから洗浄用管体３２を排水口２１から抜き出し、洗浄が終了する。なお、洗浄ユニット３の取り外しに関しては前記段落にて説明している為ここでは記載しない。
【実施例３】
【００２５】
本実施例は、図１０乃至図１１に示される、洗面台に用いられる排水管の洗浄器具である。
本実施例の排水管の洗浄器具は、水栓１と、洗浄ユニット３とから構成され、槽体２の排水管２２の洗浄を行う。
槽体２は、洗面台に用いられる箱体、いわゆる洗面ボウルであって、底面に後述する排水管２２が接続される排水口２１が開口されている。
水栓１は、浴室や台所、洗面台などの給水設備で、吐水の開閉操作を行うものであり、ハンドルやレバー１４を操作して吐水の開閉や水量の調節を行う。本実施例では浴洗面ボウルの天面に配置構成されており、レバー１４と、吐水管１２と、吐水口１２１と、シャワーホース１３と、シャワーヘッド１３２と、から構成される。
レバー１４は、給水の吐水を使用者が操作するものであって、本実施例ではレバー１４を上下動させることで、水栓１内の止水コマが水栓１内部の管路を開閉し、吐水口１２１及びシャワーヘッド１３２より水を吐水することができる。また、本実施例では、使用者の操作により、水栓１の吐水を、後述する吐水口１２１からか、またはシャワーヘッド１３２からか、適宜選択して吐水することができる。
吐水管１２は、水栓１の吐水を行う内部に水が通過する管体であって、水栓１のレバー１４から槽体２内に向けて延出する管体である。
吐水口１２１は、吐水管１２の末端に構成される開口であって、当該吐水管１２からの水が外部に吐水される開口である。
シャワーホース１３は、水栓１の吐水を行う内部に水が通過する可撓性を有した管体であって、水栓１のレバー１４から延出して配置される管体である。また、一端は水栓１に接続され、他端には後述のシャワーヘッド１３２が接続されるシャワーホース接続口１３１が開口される。また、本実施例では、シャワーホース接続口１３１とシャワーヘッド１３２の接続は、水密上の問題や、構造上の問題で、細かい部品や止水部材３１５が配置されており、専門の業者等であれば問題なく取り外せるが、使用者等の一般人には取り外すことができない構造となっている。
シャワーヘッド１３２は、シャワーホース１３の先端に接続される、水を分散して噴射する器具であり、小さな無数の穴が開いて構成される。シャワーヘッド１３２端部には、シャワーホース接続口１３１が接続される。また、上述のように、シャワーヘッド１３２とシャワーホース１３は実質上接続解除できない構造となっている。
排水管２２は、洗面ボウルの底面に開口された排水口２１に接続される排水管２２であって、排水管２２の途中箇所には、従来から周知の排水トラップ２３と呼ばれる内部に封水を貯水して下流からの害虫や臭気を逆流させない為の部品が備えられている。
押圧連結ユニット４は、図１０に示すように、基板部４１と、連結ユニット接続口４４と、水密部材４３と、上面部４６と、支持部４５と、雌ねじ部４７２と、雄ねじ部４７１と、押圧部４２と、操作部４７３と、から構成される。
基板部４１は、貫通して通水口４１１が開口されてなり、後述の水密部材４３が通水口４１１の周囲を囲んで配置されている。また、基板部４１上方には後述の上面部４６が、支持部４５によって支持されて配置構成されている。
連結ユニット接続口４４は、通水口４１１に連通して基板部４１の下面に配置される。また、連結ユニット接続口４４は、後述の洗浄ユニット３の洗浄ユニット接続口３１１が接続され、当該洗浄ユニット接続口３１１の雌ねじに螺合する雄ねじを螺刻している。
水密部材４３は、ゴムなどの弾性素材から成り、基板部４１上面に構成され、通水口４１１の周囲を囲むように構成している。本実施例では、蛇腹状に構成され、前記シャワーヘッド１３２と水密的に当接するように構成している。尚、本実施例では蛇腹状で構成しているが、特に水密部材４３の形状は蛇腹状でなくてもよい。
上面部４６は、基板部４１の上方に支持部４５によって支持されて配置構成されている。この上面部４６には、貫通して構成される雌ねじ部４７２が構成されている。
支持部４５は、上面部４６を基板部４１の上方に配置固定させる構成要素であり、本実施例では基板部４１の周囲に数本構成されている。
雌ねじ部４７２は、上面部４６に貫通して構成されており、後述の雄ねじ部４７１と螺合するように構成される。
雄ねじ部４７１は、雌ねじ部４７２に螺合する雄ねじであって、上端に操作部４７３、下端に押圧部４２を構成する。上面部４６の雌ねじに螺合するため、操作部４７３を回転操作すると、雄ねじ部４７１が雌ねじ部４７２に対し螺合し、結果的に下端の押圧部４２が操作部４７３の操作により上下動するようになっている
押圧部４２は、球関節によりある程度の自由度をもって雄ねじ部４７１下端に接続されている。シャワーヘッド１３２を下方、基板部４１に向かって押圧する為の部材である。
操作部４７３は、押圧部４２を上下動操作する為のハンドルである。使用者が操作部４７３をネジ回転させると、押圧部４２が上下動するようになっている。
洗浄ユニット３は、図４及び図５に示すように、排水管２２内部を清掃するために、排水口２１から排水管２２内部に挿入するための部品である。本実施例では、ジョイント部材３１と、逆止弁３１４と、洗浄用管体３２と、ヘッドノズル３３から構成される。
ジョイント部材３１は、後述する洗浄用管体３２を前記押圧固定部材の連結ユニット接続口４４に取り付ける為の部材である。
ジョイント部材３１は、洗浄ユニット接続口３１１、パッキン部材３１３、洗浄用管体接続口３１２、から構成される。
洗浄ユニット接続口３１１は、前記連結ユニット接続口４４に接続される開口であって、連結ユニット接続口４４の雄ねじに螺合する雌ねじを構成する。本実施例では袋ナットに雌ねじを構成している。
パッキン部材３１３は、洗浄ユニット接続口３１１と連結ユニット接続口４４に当接して両者を水密化する為の部材である。
洗浄用管体接続口３１２は、ジョイント部材３１の下端に位置し、後述する洗浄用管体３２が水密的に接続される。この洗浄用管体接続口３１２と洗浄用管体３２は、止水部材３１５を介して水密的に接続される。
逆止弁３１４は、本実施例ではジョイント部材３１内に着脱自在に配置され、具体的には洗浄ユニット接続口３１１と洗浄用管体接続口３１２の間に配置され、連結ユニット接続口４４から吐水される水は下流の洗浄用管体３２側へ通過させるが、洗浄用管体３２内の水が連結ユニット接続口４４側へ逆流することを防ぐ部材である。本実施例での逆止弁３１４は、上流開口と下流開口を備えた筒体であって、外周に止水用のＯリングなどの水密化を図る部材が配置されている。また、逆止弁３１４の中心には軸が備えられ、内部にスプリングにより常時上方に付勢されて上流開口を閉口する弁を備える。また、この逆止弁３１４は、シャワーホース接続口１３１から水が吐水されると、逆止弁３１４中のスプリングの付勢により上流開口を閉塞している弁が、吐水の水圧により下流開口側へ下降し、上流開口を開口する。そして、逆止弁３１４内を通過して逆止弁３１４の下流開口から下流へと吐水される。また、吐水が終了すると、吐水の水圧が無くなるので、水圧により下降していた弁が、スプリングの付勢により上方に弾発され、上流開口を閉塞する。また、洗浄用管体３２側の水が、何らかの理由により連結ユニット接続口４４側へと逆流しても、当該逆止弁３１４の弁が逆流の水圧に併せて上流開口を閉塞する為、洗浄用管体３２側の水が連結ユニット接続口４４側へ逆流するようなことはない。
洗浄用管体３２は、内部に水を通過させるための側面方向には可撓性を、そして軸方向には剛性を有した管体であり、一端はジョイント部材３１の洗浄用管体接続口３１２に接続される端部を備え、他端に後述するヘッドノズル３３を備える。当該洗浄用管体３２を槽体２の排水口２１から排水管２２内部に挿入させ、排水管２２内部の清掃を行う。
ヘッドノズル３３は、洗浄用管体３２の先端に接続される部品であり、洗浄用管体３２内の径より小径の噴出口を備え、洗浄用管体３２内部の水を加圧して排出することができる部材である。
【００２６】
上記の実施例である排水管の洗浄器具は以下のように取付けされる。
なお、これらの作業は、専門の人間が行っても良いし、使用者などの一般人が行っても良い。
まず、水栓１に洗浄ユニット３を接続するが、シャワーホース１３とシャワーヘッド１３２の接続は、使用者などの一般人には接続解除することはできない。よって、上述した押圧連結ユニット４を用いて、シャワーヘッド１３２と洗浄ユニット３を接続する。
まず、図１０に示すように、押圧連結ユニット４の操作部４７３を操作して、押圧部４２を基板部４１に対して上方に上げておく。そして、シャワーホース１３が接続されているシャワーヘッド１３２を押圧連結ユニット４の基板部４１と上面部４６の間に差し込み、シャワーヘッド１３２の吐水される面が水密部材４３に当接するように載置する。そして、使用者が操作部４７３を回転操作すると、雄ねじ部４７１が上面部４６の雌ねじ部４７２と螺合しながら下降してゆく。すると、雄ねじ部４７１先端に取り付けられた押圧部４２も下降し、その下方に配置されているシャワーヘッド１３２に当接する。このとき、押圧部４２は雄ねじ部４７１に対して球関節により接続されているので、シャワーヘッド１３２の形状にばらつきがあっても、シャワーヘッド１３２の吐水されない側の側面に沿うようになっている。そのまま操作部４７３を回転させると、雄ねじ部４７１がさらに下降し、押圧部４２によってシャワーヘッド１３２が基板部４１の水密部材４３に押しつけられるように押圧される。シャワーヘッド１３２に押圧された水密部材４３は、押圧部４２によって押圧されたシャワーヘッド１３２の応力により蛇腹が撓み、シャワーヘッド１３２の吐水側の形状にばらつきがあったとしても、蛇腹の撓みにより水密的にすることができる。
シャワーヘッド１３２と水密部材４３の当接が完了すると、シャワーヘッド１３２と押圧連結ユニット４の接続が完了する。なお、後述する洗浄作業の際には、水密部材４３の当接がネジ締めを利用した強力な押圧により行われている為、洗浄のために水圧が高圧となったとしても漏水は生じない。
その後、洗浄ユニット３のジョイント部材３１の洗浄ユニット接続口３１１を、押圧連結ユニット４の連結ユニット接続口４４に当接させ、ジョイント部材３１の雌ねじが構成された袋ナットを連結ユニット接続口４４の雄ねじに螺合させ、両者を水密的に接続させる。そうすると、ジョイント部材３１に接続された洗浄用管体３２が押圧連結ユニット４を介してシャワーホース１３に水密的に取り付けられる。
このようにして、図１１に示すように、洗浄ユニット３は押圧連結ユニット４を介して水栓１に水密的に取り付けられる。
また、逆に洗浄ユニット３を水栓１から取り外す際は、ジョイント部材３１の洗浄ユニット接続口３１１の雌ねじと連結ユニット接続口４４の雄ねじのねじ螺合を解除させ、ジョイント部材３１と連結ユニット接続口４４と分離させる。そうすると、洗浄ユニット３と押圧連結ユニット４の接続が解除される。その後、押圧連結ユニット４の操作部４７３を緩み方向に回転操作すると、雄ねじ部４７１と雌ねじ部４７２が逆回転し、基板部４１に対して雄ねじ部４７１が上昇し、雄ねじ部４７１の先端に取り付けられた押圧部４２も併せて上昇する。そうすると、シャワーヘッド１３２と押圧部４２の当接も解除され、シャワーヘッド１３２の基板部４１に対する押圧も解除される。そうして、シャワーヘッド１３２を押圧連結ユニット４から取り外し、シャワーヘッド１３２と押圧連結ユニット４の接続が解除される。
シャワーヘッド１３２に関しては何ら分解作業を行っていないため、そのまま通常の使用が可能となる。
【００２７】
前記した排水管の洗浄器具の使用方法は以下に記載する。
シャワーホース１３に押圧連結ユニット４を介して洗浄ユニット３を取り付けた状態で、洗浄用管体３２を排水口２１から排水管２２内部に挿入する。そして、水栓１のレバー１４を開栓すると、シャワーヘッド１３２から水が吐水され、押圧連結ユニット４の水密部材４３側へ吐水される。そうすると、押圧連結ユニット４の基板部４１に開口された通水口４１１へと水が流入し、通水口４１１を介して連結ユニット接続口４４へと流入する。そして、連結ユニット接続口４４に接続されたジョイント部材３１の洗浄ユニット接続口３１１からジョイント部材３１内に水が流入し、逆止弁３１４の上流開口から逆止弁３１４内に水が流入する。このとき、水の水圧により逆止弁３１４の弁は上流開口から下降し、上流開口を開口している。そして、逆止弁３１４の下流開口を通過し、洗浄用管体接続口３１２から洗浄用管体３２内へ水が流入する。洗浄用管体３２内の水は、洗浄用管体３２の先端に配置しているヘッドノズル３３により洗浄用管体３２の外部へ高圧の水が噴出する。なお、ヘッドノズル３３の噴出開口は洗浄用管体３２よりも小径な為、その分噴出開口の水圧が増し、高圧の水がヘッドノズル３３より噴出することができる。
そして、使用者が適宜洗浄用管体３２を操作し、排水管２２内、そして排水トラップ２３より下流を洗浄用管体３２で通過させ、且つ高圧の水を噴射することにより排水管２２内の汚れやヌメリ、つまりを下流へ洗い流すことができる。
また、洗浄が終了すれば、使用者は水栓１のレバー１４を戻し、吐水を終了させてから洗浄用管体３２を排水口２１から抜き出し、洗浄が終了する。なお、洗浄ユニット３の取り外しに関しては前記段落にて説明している為ここでは記載しない。
【００２８】
本発明は前記した実施例のほか、特許請求の範囲を越えない範囲で適宜変更は可能である。
前記実施例では、洗浄ユニット接続口３１１は雌ねじ、それに対応する吐水口１２１、シャワーホース接続口１３１、連結ユニット接続口４４は雄ねじが構成されているが、雄ねじと雌ねじが逆に構成されていても構わないし、両者の接続構造がネジ螺合以外の接続であってもかまわない。
また、図１４に示したように、吐水口１２１、シャワーホース接続口１３１、連結ユニット接続口４４と洗浄ユニット接続口３１１の接続を、アダプター部材５を介して接続しても良い。このアダプター部材５は、吐水口１２１、シャワーホース接続又は連結ユニット接続口４４と、洗浄ユニット接続口３１１の口径が相違している場合に用いられる継ぎ手部材であり、この例では、一端を吐水口１２１、シャワーホース接続口１３１の口径に合う雌ねじ形状とし、他端を洗浄ユニット接続口３１１の口径に合う雄ねじ形状を備えている。このアダプター部材５を備えることにより、吐水口１２１、シャワーホース接続口１３１、連結ユニット接続口４４がいろんな口径であっても、当該アダプター部材５を介することで、簡単に接続することができる。
また、図示しないが、水栓１の吐水口１２１に、洗濯機等の設備機器へ接続するための規格化された継ぎ手が接続されていたとしても、前記アダプター部材５の吐水口１２１に接続される側の端部に、規格化された継ぎ手と接続する継ぎ手構造を備えておけば、洗浄ユニット３が直接的に水栓１の吐水口１２１に接続できなくても、アダプター部材５を用いれば、アダプター部材５の一方を水栓１の継手に接続できるので、アダプター部材５の一方を水栓１に接続し、アダプター部材５の他方に洗浄ユニット３の洗浄ユニット接続口３１１を接続することで、洗浄ユニット３を使用する事ができる。このようにしたことで、わざわざ水栓１の継ぎ手を取り外す手間もない為、専門知識のない使用者等に一般人にも簡単に使用することができる。
また、前記実施例では押圧連結ユニット４が雄ねじ部４７１と雌ねじ部４７２による押圧によって接続しているが、当該実施例の構造に限定されるものではなく、例えば図１２及び図１３に示したように、押圧部４２又は基板部４１いずれか一方に構成された留め具４８２と、留め具４８２が構成されない方の押圧部４２又は基板部４１いずれか一方に構成されて、前記留め具４８２に係合するとともに、押圧部４２と基板部４１を引き寄せ固定する固定引き寄せ具４８１を構成し、この固定引き寄せ具４８１を、操作して留め具４８２に係合させ、押圧部４２と基板部４１を引き寄せて押圧部４２を吐水管１２又はシャワーヘッド１３２に押し当てて基板部４１側へ押圧し、水密部材４３を介して基板部４１に当接して押圧するように接続しても構わない。
また、前記実施例では、押圧連結ユニット４に取付られる水栓１をシャワーヘッド１３２としたが、これに限定されるものではなく、吐水管１２と吐水口１２１を有した水栓１を接続してもよい。
また、上記実施例では押圧連結ユニット４の基板部４１に構成される水密部材４３を蛇腹形状としたが、蛇腹形状に限定されるものではなく水密的な接続を確実に行うことができるのであれば、単なる平パッキンであったり、断面視Ｕ字状から成るパッキンなどを用いても構わない。
また、上記実施例では、台所の流し台や洗面台の洗面ボウルにて本発明の排水管の洗浄器具を用いた際、槽体２の排水口２１から洗浄用管体３２を挿入し排水管２２内を清掃作業しているが、例えば排水管２２に取り付けられている排水トラップ２３に掃除用孔が構成されている場合は、水栓１に接続した洗浄ユニット３の洗浄用管体３２を、槽体２の表面側から槽体２下のキャビネット内に取り回し、掃除用孔から排水管２２内部に挿入しても構わない。このような清掃作業を行えば、排水トラップ２３より下流の排水管２２内に洗浄用管体３２を挿入しやすくなり、清掃作業が簡単となる。
【符号の説明】
【００２９】
１      水栓
１２    吐水管
１２１  吐水口
１２２  泡沫器
１３    シャワーホース
１３１  シャワーホース接続口
１３２  シャワーヘッド
１４    レバー
２      槽体
２１    排水口
２２    排水管
２３    排水トラップ
３      洗浄ユニット
３１    ジョイント部材
３１１  洗浄ユニット接続口
３１２  洗浄用管体接続口
３１３  パッキン部材
３１４  逆止弁
３１５  止水部材
３２    洗浄用管体
３３    ヘッドノズル 
４      押圧連結ユニット
４１    基板部
４１１  通水口
４２    押圧部
４３    水密部材
４４    連結ユニット接続口
４５    支持部
４６    上面部
４７１  雄ねじ部
４７２  雌ねじ部
４７３  操作部
４８１  固定引き寄せ具
４８２  留め具
５      アダプター部材
【図１】
2016089442.tif 000003
【図２】
2016089442.tif 000004
【図３】
2016089442.tif 000005
【図４】
2016089442.tif 000006
【図５】
2016089442.tif 000007
【図６】
2016089442.tif 000008
【図７】
2016089442.tif 000009
【図８】
2016089442.tif 000010
【図９】
2016089442.tif 000011
【図１０】
2016089442.tif 000012
【図１１】
2016089442.tif 000013
【図１２】
2016089442.tif 000014
【図１３】
2016089442.tif 000015
【図１４】
2016089442.tif 000016